(57)【要約】【課題】各受光領域の光検出信号としてノイズの除去された高品位の信号を信号伝送路の後段回路にて得ることのできる光学記録再生装置を提供する。【解決手段】光ピックアップ１０は、受光器１８の受光領域毎に変換された電流信号を第１の電圧信号に変換する複数の差動増幅回路４１と、差動増幅回路４１の出力である第１の電圧信号を反転して第２の電圧信号を生成し、これら第１の電圧信号および第２の電圧信号を差動出力として出力する複数の差動出力増幅回路４３とを備えている。信号処理回路３１は、フレキシブルプリント基板２０を通じて伝送された差動出力のうちの第２の電圧信号を反転する反転増幅回路４６と、この反転増幅回路４６より出力された第２の電圧信号を第１の電圧信号と加算する加算増幅回路４７とで構成されている。以上の構成によって、フレキシブルプリント基板２０の各信号線を伝送中の各信号に飛び込んだ外来ノイズが信号処理回路３１にて除去される。【選択図】    図３
2005018856.tif 000002
【特許請求の範囲】
【請求項１】
情報媒体にビーム光を照射する光源と、
複数の受光領域を有し、前記情報媒体からの反射光を前記複数の受光領域にてそれぞれ受光し電流信号に変換する受光手段と、
前記受光領域毎に変換された電流信号を第１の電圧信号に変換するとともにこの第１の電圧信号を反転して第２の電圧信号を生成し、前記受光領域毎の前記第１の電圧信号および前記第２の電圧信号を出力する第１の信号処理手段と、
前記第１の信号処理手段より出力された前記受光領域毎の前記第１の電圧信号および前記第２の電圧信号を個別に伝送する複数の信号伝送路と、
前記各信号伝送路を通じて伝送されてきた前記受光領域毎の前記第１の電圧信号および前記第２の電圧信号のうち一方の電圧信号を反転し、互いに加算して一つの電圧信号を生成する第２の信号処理手段と
を具備することを特徴とする光学記録再生装置。
【請求項２】
前記第１の信号処理手段は、
前記受光領域毎に変換された電流信号を第１の電圧信号に変換する複数の差動増幅回路と、
前記差動増幅回路毎に変換された第１の電圧信号を反転して第２の電圧信号を生成し、前記受光領域毎の前記第１の電圧信号および前記第２の電圧信号を出力する複数の差動出力増幅回路とを有し、
前記第２の信号処理手段は、
前記各信号伝送路を通じて伝送されてきた前記受光領域毎の前記第１の電圧信号および前記第２の電圧信号のうち一方の電圧信号を反転する複数の反転増幅回路と、
前記受光領域毎の前記第１の電圧信号および前記第２の電圧信号について、前記反転増幅回路により反転された一方の電圧信号と他方の電圧信号とを加算して一つの電圧信号を生成する複数の加算増幅回路とを有することを特徴とする請求項１に記載の光学記録再生装置。
【請求項３】
前記複数の信号伝送路が、前記光源、前記受光手段および前記第１の信号処理手段を有する光ピックアップと、この光ピックアップを搬送自在に支持する装置本体に固定されかつ前記第２の信号処理手段を有する回路基板とを電気的に接続するフレキシブルプリント基板に設けられた信号線であることを特徴とする請求項１に記載の光学記録再生装置。
【請求項４】
情報媒体にビーム光を照射する光源と、
複数の受光領域を有し、前記情報媒体からの反射光を前記複数の受光領域にてそれぞれ受光し電流信号に変換する受光手段と、
前記受光領域毎に変換された電流信号を第１の電圧信号に変換するとともにこの第１の電圧信号を反転して第２の電圧信号を生成し、前記受光領域毎の前記第１の電圧信号および前記第２の電圧信号を出力する信号処理手段と
を具備することを特徴とする光ピックアップ装置。
【請求項５】
前記信号処理手段は、
前記受光領域毎に変換された電流信号を第１の電圧信号に変換する複数の差動増幅回路と、
前記差動増幅回路毎に変換された第１の電圧信号を反転して第２の電圧信号を生成し、前記受光領域毎の前記第１の電圧信号および前記第２の電圧信号を出力する複数の差動出力増幅回路と
を具備することを特徴とする請求項４に記載の光ピックアップ装置。
【発明の詳細な説明】
【０００１】
【発明の属する技術分野】
本発明は、光ディスク装置などの光学記録再生装置とこれに搭載される光ピックアップ装置に関する。
【０００２】
【従来の技術】
光ディスク装置などの光学記録再生装置においては、光ピックアップにてレーザ光源からのビーム光を光ディスクなどの情報媒体の記録面に照射し、その反射光を受光器にて受光して電気的な信号に変換し、この電気信号を、光学記録再生装置本体の回路基板上の信号処理回路に伝送している。信号処理回路では、伝送された信号から、情報媒体に記録されている情報に対応するＲＦ信号や、トラッキングエラー信号、フォーカスエラー信号、ウォブル信号などを生成する処理が行われる。
【０００３】
また、光学記録再生装置においては、光ピックアップの可搬性の確保のために、光ピックアップと光学記録再生装置本体の回路基板とをフレキシブルプリント基板によって電気的に接続する構造を採用している。しかし、フレキシブルプリント基板を伝送される信号には外来ノイズが飛び込みやすく、このノイズが信号処理回路での上記の信号生成に障害をもたらすおそれがある。その対策として、フレキシブルプリント基板を伝送される信号のレベルを高めに設定して、伝送信号に重畳したノイズの影響を軽減することが行われている。
【０００４】
【発明が解決しようとする課題】
しかしながら、伝送信号のレベルを高く設定した場合、次のような問題が生じていた。回路基板上の信号処理回路では、情報媒体への書き込み時、非ピット部を記録する期間（バイアスレベル期間）の信号をサンプルホールドして、トラッキングエラー信号およびフォーカスエラー信号を生成している。しかし昨今の光ディスク装置などに見られるデータ転送速度の向上により、３Ｔ時間幅の非ピット部の記録期間内に信号レベルをバイアスレベルまで落し込むことは、受光器の差動増幅回路の応答特性（スルーレート）が壁となって困難な状況になってきている。また、差動増幅回路のスルーレートを上げると、それだけ信号の立下り部分に現れるリンギング現象の規模も大きくなるため、やはり、非ピット部の記録期間内にバイアスレベルの期間を実際に確保することができない状況が発生していた。
【０００５】
なお、外来ノイズによるＲＦ信号の生成への影響を回避するために、光ピックアップ側の増幅回路にて、受光器の出力からＲＦ信号とその反転信号からなる差動出力を生成し、これらをフレキシブルプリント基板に設けられた別々の信号線を通じて回路基板の信号処理回路に伝送し、信号処理回路にて上記差動出力からノイズ成分を除去したＲＦ信号を得る技術は既に公知である（たとえば、特許文献１を参照）。
【０００６】
【特許文献１】
特開２００１−１８９０２９号公報
【０００７】
しかしながら、この公知技術では、ノイズ成分を除去したＲＦ信号を得ることが可能であるが、トラッキングエラー信号やフォーカスエラー信号の生成にノイズによる悪影響が生じる課題は依然として残されている。
【０００８】
本発明は、以上のような事情を鑑みて、各受光領域の光検出信号としてノイズの除去された高品位の信号を信号伝送路の後段回路にて得ることのできる光学記録再生装置と光ピックアップ装置を提供することを目的とする。
【０００９】
【課題を解決するための手段】
上記目的を達成するため、本発明の光学記録再生装置は、情報媒体にビーム光を照射する光源と、複数の受光領域を有し、前記情報媒体からの反射光を前記複数の受光領域にてそれぞれ受光し電流信号に変換する受光手段と、前記受光領域毎に変換された電流信号を第１の電圧信号に変換するとともにこの第１の電圧信号を反転して第２の電圧信号を生成し、前記受光領域毎の前記第１の電圧信号および前記第２の電圧信号を出力する第１の信号処理手段と、前記第１の信号処理手段より出力された前記受光領域毎の前記第１の電圧信号および前記第２の電圧信号を個別に伝送する複数の信号伝送路と、前記各信号伝送路を通じて伝送されてきた前記受光領域毎の前記第１の電圧信号および前記第２の電圧信号のうち一方の電圧信号を反転し、互いに加算して一つの電圧信号を生成する第２の信号処理手段とを具備する。
【００１０】
この発明により、各受光領域の光検出信号としてノイズの除去された高品位の信号を、信号伝送路の後段回路にて得ることが可能になる。したがって、ピット部を記録する期間の信号レベルを外来ノイズの影響を加味して高く設定する必要が無くなり、非ピット部の記録期間内に信号レベルをバイアスレベルに落し込むことが容易となり、トラッキングエラー信号およびフォーカスエラー信号を生成するための光検出信号のサンプリングを正しく行うことが可能になる。
【００１１】
また、本発明の光学記録再生装置において、前記第１の信号処理手段は、具体的には、受光領域毎に変換された電流信号を第１の電圧信号に変換する複数の差動増幅回路と、差動増幅回路毎に変換された第１の電圧信号を反転して第２の電圧信号を生成し、受光領域毎の第１の電圧信号および第２の電圧信号を出力する複数の差動出力増幅回路とにより構成することが可能である。また、前記第２の信号処理手段は、具体的には、各信号伝送路を通じて伝送されてきた受光領域毎の第１の電圧信号および第２の電圧信号のうち一方の電圧信号を反転する複数の反転増幅回路と、受光領域毎の第１の電圧信号および第２の電圧信号について、反転増幅回路により反転された一方の電圧信号と他方の電圧信号とを加算して一つの電圧信号を生成する複数の加算増幅回路とにより構成することが可能である。
【００１２】
さらに、本発明の光学記録再生装置において、複数の信号伝送路は、具体的には、光源、受光手段および第１の信号処理手段を有する光ピックアップと、この光ピックアップを搬送自在に支持する装置本体に固定されかつ第２の信号処理手段を有する回路基板とを電気的に接続するフレキシブルプリント基板に設けられた信号線であってよい。
【００１３】
また、本発明の別の観点に基づく光ピックアップ装置は、情報媒体にビーム光を照射する光源と、複数の受光領域を有し、前記情報媒体からの反射光を前記複数の受光領域にてそれぞれ受光し電流信号に変換する受光手段と、前記受光領域毎に変換された電流信号を第１の電圧信号に変換するとともにこの第１の電圧信号を反転して第２の電圧信号を生成し、前記受光領域毎の前記第１の電圧信号および前記第２の電圧信号を出力する信号処理手段とを具備するものである。
【００１４】
すなわち、この光ピックアップ装置は、第１の信号処理手段より出力された受光領域毎の第１の電圧信号および第２の電圧信号を個別に伝送する複数の信号伝送路と、各信号伝送路を通じて伝送されてきた受光領域毎の第１の電圧信号および第２の電圧信号のうち一方の電圧信号を反転し、互いに加算して一つの電圧信号を生成する第２の信号処理手段とを有する光学記録再生装置に組み込まれることによって、各受光領域の光検出信号としてノイズの除去された高品位の信号を、信号伝送路の後段回路にて得ることが可能になる。したがって、ピット部を記録する期間の信号レベルを外来ノイズの影響を加味して高く設定する必要が無くなり、非ピット部の記録期間内に信号レベルをバイアスレベルに落し込むことが容易となり、トラッキングエラー信号およびフォーカスエラー信号を生成するための光検出信号のサンプリングを正しく行うことが可能になる。
【００１５】
また、この光ピックアップ装置において、信号処理手段は、具体的には、受光領域毎に変換された電流信号を第１の電圧信号に変換する複数の差動増幅回路と、差動増幅回路毎に変換された第１の電圧信号を反転して第２の電圧信号を生成し、受光領域毎の前記第１の電圧信号および前記第２の電圧信号を出力する複数の差動出力増幅回路とにより構成することが可能である。
【００１６】
【発明の実施の形態】
以下、本発明の実施の形態について図面を参照して詳細に説明する。
【００１７】
図１は本発明の実施の一形態に係る光ピックアップ１０を採用した光学記録再生装置１００の電気的な構成を示す図である。この光学記録再生装置１００は、たとえば情報の記録が可能な光ディスクなどの情報媒体１０２に対する情報の記録および再生を行うことのできるディスク装置である。情報の記録が可能な光ディスクとしては、ＣＤ規格にはＣＤ−Ｒ（Ｒｅｃｏｒｄａｂｌｅ）、ＣＤ−ＲＷ（Ｒｅｗｒｉｔａｂｌｅ）があり、ＤＶＤ規格には、ＤＶＤ−Ｒ、ＤＶＤ−ＲＷ、ＤＶＤ＋Ｒ、ＤＶＤ＋ＲＷ、ＤＶＤ−ＲＡＭなどがある。
【００１８】
この光学記録再生装置１００は光ピックアップ１０を有している。光ピックアップ１０は、レーザ光源１１と、コリメータレンズ１２と、回折格子１３と、偏向ビームスプリッタ１４と、四分の一波長板１５と、対物レンズ１６と、集光レンズ１７と、受光器１８と、ＲＦ増幅回路（第１の信号処理手段）１９とを有している。光ピックアップ１０は、フレキシブルプリント基板２０に形成された信号線を通じて、光学記録再生装置１００の本体に搭載された回路基板３０と電気的に接続されている。
【００１９】
光学記録再生装置１００の回路基板３０には、信号処理回路（第２の信号処理手段）３１、デコーダ３２、サーボ回路３３、エンコーダ３４、レーザ駆動回路３５、スピンドル駆動回路３６、インターフェース３７、およびシステムコントローラ３８などが搭載されている。
【００２０】
光ピックアップ１０において、レーザ光源１１からのビーム光はコリメータレンズ１２によって平行光線化され、回折格子１３によって０次回折光であるメインビーム光と２つの１次回折光であるサイドビーム光とに分けられて偏光ビームスプリッタ１４に到達する。メインビーム光と２つのサイドビーム光は偏光ビームスプリッタ１４で偏向されずに四分の一波長板１５および対物レンズ１６を径由して情報媒体１０２の情報記録面に到達する。
【００２１】
情報媒体１０２の情報記録面からの反射光は、対物レンズ１６および四分の一波長板１５を介して偏光ビームスプリッタ１４の偏光面に到達し、ここで偏向され、集光レンズ１７で集光されて受光器１８に受光される。このとき、メインビーム光は受光器１８の後述するメイン受光器に、２つのサイドビーム光は受光器１８の後述する２つのサイド受光器にそれぞれ受光される。
【００２２】
図２は、受光器１８の構成を示す図である。同図に示すように、受光器１８は、メイン受光器１８ａとこのメイン受光器１８ａの両サイドに配置された２つのサイド受光器１８ｂ，１８ｃとからなる。メイン受光器１８ａは受光領域が縦横２×２に４分割され、すなわち４つの独立した受光領域Ａ，Ｂ，Ｃ，Ｄで構成されている。各受光領域Ａ，Ｂ，Ｃ，Ｄは、レーザ光源１１より出射されたビーム光の０次回折光であるメインビーム光５１を、情報媒体１０２に記録されている情報に対応する信号光、フォーカスエラー検出用の信号光、およびＤＰＰ（Ｄｉｆｆｅｒｅｎｔｉａｌ  Ｐｕｓｈ−Ｐｕｌｌ）法によるトラッキングエラー検出用の信号光として受光し電流信号として出力する。サイド受光器１８ｂ，１８ｃは、それぞれ受光領域が２分割され、すなわちそれぞれが２つの独立した受光領域Ｅ，Ｆおよび受光領域Ｇ，Ｈで構成されている。これらサイド受光器１８ｂ，１８ｃの各受光領域Ｅ，Ｆ，Ｇ，Ｈは、レーザ光源１１より出射されたビーム光の２つの１次回折光であるサイドビーム光５２，５２をＤＰＰ法によるトラッキングエラー検出用の信号光としてそれぞれ受光して電流信号を出力する。
【００２３】
図３は、ＲＦ増幅回路１９および信号処理回路３１のそれぞれの構成を示す図である。同図に示すように、ＲＦ増幅回路１９は、上記メイン受光器１８ａおよびサイド受光器１８ｂ，１８ｃにおける個々の受光領域Ａ〜Ｈに対応する複数の増幅回路１９Ａ〜１９Ｈで構成されている。これらの増幅回路１９Ａ〜１９Ｈはそれぞれ、対応する受光領域Ａ〜Ｈより出力された電流信号を第１の電圧信号に変換する差動増幅回路４１と、差動出力増幅回路４３とで構成される。差動出力増幅回路４３は、差動増幅回路４１の出力である第１の電圧信号を反転して第２の電圧信号を生成し、これら第１の電圧信号および第２の電圧信号を差動出力として出力する。
【００２４】
信号処理回路３１は、メイン受光器１８ａおよびサイド受光器１８ｂ，１８ｃの個々の受光領域Ａ〜Ｈに対応する複数の増幅回路４５Ａ〜４５Ｈを備えている。これらの増幅回路４５Ａ〜４５Ｈはそれぞれ、対応する増幅回路１９Ａ〜１９Ｈよりフレキシブルプリント基板２０を通じて伝送された差動出力のうちの一方の電圧信号（たとえば第２の電圧信号）を反転する反転増幅回路４６と、この反転増幅回路４６より出力された第２の電圧信号を増幅回路１９Ａ〜１９Ｈより出力された第１の電圧信号と加算する加算増幅回路４７とで構成されている。
【００２５】
以上の構成によって、フレキシブルプリント基板２０の各信号線を伝送中の各信号に飛び込んだ外来ノイズが信号処理回路３１の増幅回路４５Ａ〜４５Ｈにて除去され、各受光領域Ａ〜Ｈの高品位な光検出信号が信号処理回路３１にて得られるようになる。
【００２６】
信号処理回路３１は、このようにして得た高品位の光検出信号に基づいて、情報媒体１０２に記録されている情報に対応するＲＦ（Ｒａｄｉｏ  Ｆｒｅｑｕｅｎｃｙ）信号の生成、光ビームのトラッキングサーボ制御に供するトラッキングエラー信号の生成、フォーカスサーボ制御に供するフォーカスエラー信号の生成、ウォブル信号の生成などを行う。
【００２７】
信号処理回路３１によって生成されたＲＦ信号は二値化された後、デコーダ３２に入力される。デコーダ３２は二値信号に対してたとえばＥＦＭ＋（Ｅｉｇｈｔ  ｔｏ  Ｆｏｕｒｔｅｅｎ  Ｍｏｄｕｌａｔｉｏｎ  ＋）復調、デインターリーブ、ＣＩＲＣ（Ｃｒｏｓｓ  Ｉｎｔｅｒｌｅａｖｅ  Ｒｅｅｄ−Ｓｏｌｏｍｏｎ  Ｃｏｄｅ）による誤り訂正処理、さらには、デスクランブル処理やＥＣＣ（Ｅｒｒｏｒ  Ｃｏｒｒｅｃｔｉｎｇ  Ｃｏｄｅ）による誤り訂正処理などを施すことによって、情報媒体１０２に記録されている情報に対応する復調信号を生成する。デコーダ３２の出力はシステムコントローラ３８による制御の下、インターフェース３７を通じてホスト装置に転送される。
【００２８】
また、信号処理回路３１によって生成されたトラッキングエラー信号、フォーカスエラー信号はサーボ回路３３に出力され、サーボ回路３３にて、光ピックアップ１０のトラッキングサーボ制御およびフォーカスサーボ制御のためのサーボ制御信号とされて光ピックアップ１０に出力される。
【００２９】
光ピックアップ１０の対物レンズ１６は、図示しない２軸アクチュエータによって、スピンドルモータ２１に装着された情報媒体１０２の径方向および情報媒体１０２の記録面に対して近接離間する方向の２軸方向に移動可能に支持されており、サーボ回路３３は、この２軸アクチュエータを制御して対物レンズ１６を２軸方向に移動操作することで、光ピックアップ１０のフォーカスサーボおよびトラッキングサーボを行う。
【００３０】
さらに、信号処理回路３１によって生成されたウォブル信号は図示しないアドレス情報再生手段に入力され、情報媒体１０２上の絶対位置を示す時間軸情報であるＡＴＩＰ（Ａｂｓｏｌｕｔｅ  Ｔｉｍｅ  Ｉｎ  Ｐｒｅｇｒｏｏｖｅ）信号の再生が行われる。このＡＴＩＰ信号はシステムコントローラ３８に与えられ、システムコントローラ３８は、当該ＡＴＩＰ信号に基づいて、光ディスクなどの情報媒体１０２の回転制御すなわちスピンドルサーボを行う。
【００３１】
エンコーダ３４は、インターフェース３７を通じてホスト装置より供給された記録データを所定のセクターフォーマットにエンコードした後、誤り訂正用のＥＣＣの付加、ＣＩＲＣエンコード処理、ＥＦＭ＋変調などを行って、書き込み信号を生成する。そして、この書き込み信号をレーザ駆動回路３５に供給する。
【００３２】
レーザ駆動回路３５は、システムコントローラ３８による制御のもとで、エンコーダ３４から供給された書き込み信号に応じて、光ピックアップ１０のレーザ光源１１を駆動する。これにより、レーザ光源１１から記録データに応じて変調された記録パワーの光ビームが出射される。
【００３３】
以上説明したように、この実施形態の光学記録再生装置１００によれば、メイン受光器１８ａおよびサイド受光器１８ｂ，１８ｃの各受光領域Ａ〜Ｈの光検出信号としてノイズの除去された高品位な信号がフレキシブルプリント基板２０の後段の信号処理回路３１で得られる。したがって、書き込み時にピット部を記録する期間の信号レベルを外来ノイズの影響を加味して高く設定する必要が無くなる。
【００３４】
図４は、本実施形態の書き込み時の差動増幅回路４１の出力波形（ｂ）を従来の出力波形（ａ）と比較して示す図である。これらの出力波形において、実線６１，６２は差動増幅回路４１のスルーレートを無視した理論上の出力波形、点線６３，６４は差動増幅回路４１のスルーレートを反映した差動増幅回路４１の出力波形である。
【００３５】
このように本実施形態では、ピット部の記録期間での信号レベルを下げられるので、差動増幅回路４１のスルーレートを上げなくても、非ピット部の記録期間に入ってから信号レベルがバイアスレベルＢｖまで速やかに落ち込む。これにより、３Ｔ時間幅の非ピット部の記録期間内に信号レベルをバイアスレベルＢｖに落し込むことが容易となり、トラッキングエラー信号およびフォーカスエラー信号を生成するための光検出信号のサンプリングを正しく行うことが可能になる。
ところで、上記の実施形態では、トラッキングエラー信号の生成にＤＰＰ法を採用しているので、メイン受光器１８ａおよびサイド受光器１８ｂ，１８ｃの各受光領域Ａ〜Ｈの光検出信号をそれぞれ差動出力でフレキシブルプリント基板２０の信号線を通じて信号処理回路３１に伝送するように構成したが、トラッキングエラー信号の生成にＤＰＤ（Ｄｉｆｆｅｒｅｎｔｉａｌ  Ｐｈａｓｅ  Ｄｅｔｅｃｔｉｏｎ）法を採用した場合には、トラッキングエラー信号の生成にメイン受光器１８ａの受光領域Ａ，Ｂ，Ｃ，Ｄの光検出信号のみが利用されることになるので、このメイン受光器１８ａの受光領域Ａ，Ｂ，Ｃ，Ｄの出力のみを差動出力で伝送するように構成すればよい。
【００３６】
なお、本発明は上述したいずれの実施形態にも限定されず、本発明の技術思想の範囲内で適宜変更して実施できる。
【００３７】
【発明の効果】
以上説明したように、本発明によれば、各受光領域の光検出信号としてノイズの除去された高品位の信号が伝送路の後段回路にて得られることで、書き込み時のピット部の信号レベルをノイズの影響を加味して高く設定する必要が無くなる。これにより、非ピット部の記録期間内に信号レベルをバイアスレベルに落し込むことが容易となり、トラッキングエラー信号およびフォーカスエラー信号を生成するための光検出信号のサンプリングを正しく行うことができる。
【図面の簡単な説明】
【図１】本発明の実施の一形態に係る光ピックアップを採用した光学記録再生装置の電気的な構成を示す図である。
【図２】受光器の構成を示す図である。
【図３】ＲＦ増幅回路および信号処理回路のそれぞれの構成を示す図である。
【図４】（ａ）は従来の差動増幅回路の出力波形を示し図、（ｂ）は本実施形態の差動増幅回路の出力波形を示す図である。
【符号の説明】
１０        光ピックアップ
１１        レーザ光源
１８        受光器
１８ａ          メイン受光器
１８ｂ，１８ｃ  サイド受光器
１９        ＲＦ増幅回路
１９Ａ〜１９Ｈ  増幅回路
２０        フレキシブルプリント基板
３０        回路基板
３１        信号処理回路
３７        インターフェース
３８        システムコントローラ
４１        差動増幅回路
４３        差動出力増幅回路
４５Ａ〜４５Ｈ  増幅回路
４６        反転増幅回路
４７        加算増幅回路
１００        光学記録再生装置
１０２        情報媒体
Ａ〜Ｈ        受光領域
【図１】
2005018856.tif 000003
【図２】
2005018856.tif 000004
【図３】
2005018856.tif 000005
【図４】
2005018856.tif 000006